(57)【要約】      （修正有）【課題】警察官による操作で容易に拳銃本体の取り外しが可能であり、さらに拳銃の強奪を未然に防止できる「つりひも」と拳銃とを連結する拳銃用ナスカンを提供する。【解決手段】緩やかな曲面で形成されたカバー部材１８０が、ネジ穴１１４に形成された内ネジと螺合可能な雄ネジが形成されたネジ部材１３０の頭部１３１の頂面側を開口するようにネジ部材の頭部を側面から覆い、フック部材１１０に溶接されて固定される。フック部材と係合アーム部材との係合が容易に解かれることがないため、拳銃の強奪を防止できる。【選択図】図１
0003232014.tif 000002
【実用新案登録請求の範囲】
【請求項１】
末端部から上方に向けて湾曲したフック部材と、前記フック部材の開口部分を閉口して環状体をなすように一端が前記フック部材の先端の内側に収容されて係合するように配置される係合アーム部材と、前記フック部材の上端と前記係合アーム部材の他端とを連結する軸部材と、前記フック部材の外側から前記係合アーム部材の内壁に向けて、形成されたネジ穴に挿入されて螺合するネジ部材と、前記環状体の内側で前記係合アーム部材を弾性力によって係合方向に移動させるバネ部材とを備えるナスカンであって、
前記ネジ部材の頭部の頂面側を開口して前記ネジ部材の頭部を側面から覆い、前記フック部材に固定されたカバー部材、
を備えることを特徴とするナスカン。
【請求項２】
前記カバー部材の高さは、
前記ネジ部材の頭部の高さ以上で形成されること、
を特徴とする請求項１記載のナスカン。
【請求項３】
前記カバー部材の周面は、
緩やかな曲面で形成されること、
を特徴とする請求項１記載のナスカン。
【請求項４】
前記ネジ部材の頭部の頂面は、
前記ネジ部材を回転させるための工具の形状に合わせて形成された駆動部、
を備えることを特徴とする請求項１記載のナスカン。
【請求項５】
前記駆動部は、
多角星型状の凹部であること、
を特徴とする請求項４記載のナスカン。
【請求項６】
前記工具の先端部は、所定の形状で形成された突起体を収容する収容部を備え、
前記多角星型状の凹部は、前記収容部に収容される形状の突起部が形成されること、
を特徴とする請求項５記載のナスカン。
【請求項７】
前記ネジ部材は、
前記ネジ穴と前記係合アーム部材の内側との間で、前記バネ部材の一方側の端部が当接するバネ受部、
を備えることを特徴とする請求項１記載のナスカン。
【請求項８】
前記ネジ部材と前記ネジ穴との螺合は、
２条以上の多条ネジで構成されること、
を特徴とする請求項１記載のナスカン。
【請求項９】
前記フック部材の先端の内側と、前記係合アーム部材の一端とが係合する部分は、
前記フック部材の先端の内側と、前記係合アーム部材の一端とが互いに噛み合うような形状に形成された噛合構造、
を備えることを特徴とする請求項１記載のナスカン。
【請求項１０】
前記噛合構造は、
前記係合アーム部材の一端が外側に折り返された折返部と、
前記折返部を収容するようにして前記フック部材の先端が切り欠かれた切欠部と、
を備えることを特徴とする請求項９記載のナスカン。
【請求項１１】
前記噛合構造は、
前記フック部材の先端が内側に折り返された折返部と、
前記折返部を収容するようにして前記係合アーム部材が切り欠かれた切欠部と、
を備えることを特徴とする請求項９記載のナスカン。
【考案の詳細な説明】
【技術分野】
【０００１】
本考案は、ナスカンに関し、特に末端部から上方に向けて湾曲したフック部材と、前記フック部材の開口部分を閉口して環状体をなすように一端が前記フック部材先端の内側に収容されて係合するように配置される係合アーム部材と、前記フック部材の上端と前記係合アーム部材の他端とを連結する軸部材と、前記フック部材の外側から前記係合アーム部材の内壁に向けて挿入されるネジ部材と、前記環状体の内側で前記係合アーム部材を弾性力によって係合方向に移動させるバネ部材とを備えるナスカンに関する。
【背景技術】
【０００２】
日本の警察官は、その職務の遂行のために拳銃などの小型武器の携帯および使用が認められている。小型武器、特に拳銃を携帯する警察官にとって最も重要なことは、携帯している拳銃を奪われないようにすることである。
【０００３】
警察官の拳銃が奪われる事件は、過去にも数回起きている。具体的には、２０１８年６月に富山県富山市の交番で警察官が交番で刃物を持った元自衛官の男に殺害される事件が発生している。男性は警察官を殺害するだけでなく、殺害した警察官から拳銃を奪った上、交番の近くの小学校で発砲し警備員を殺害している。
２０１９年４月には、近隣でトラブルの対応にあたっていた警察官が男に拳銃を奪われ、発砲される事件が発生している。
【０００４】
このような不測の事態の対応策として、警察官に繋がれた「つりひも」と拳銃とを容易に連結し、携行中又は拳銃を強奪されるなどの激しい振動があっても、拳銃と「つりひも」との連結部分が外れたり、外れ易くなったりすることを未然に防止する拳銃の吊り下げ装置が開発されている（たとえば、特許文献１参照）。
【０００５】
図１２は、特許文献１で開示された拳銃の吊り下げ装置を示す正面図、および正面断面図である。
図１２に示すように、特許文献１で開示された拳銃の吊り下げ装置１０は、フック部材１１、バネ部材１２、ネジ部材１３、係合アーム部材１４、軸部材１５、連結部材１６、および掛具取り付部材１７を備えている。
【０００６】
フック部材１１は、末端部から上方に向けて湾曲した形状をしている。フック部材１１の上端と係合アーム部材１４の一方側とは、軸部材１５によって回動自在に連結されている。
【０００７】
また軸部材１５には連結部材１６が回動自在に連結されており、連結部材１６の上端には掛具取り付部材１７が回動自在に連結されている。「つりひも」は掛具取り付部材１７に連結される。
【０００８】
係合アーム部材１４はフック部材１１と平行になるように設けられており、係合アーム部材１４の他端側がフック部材１１の先端側内壁面に収容される。また、係合アーム部材１４は、フック部材１１の開口部を閉塞して鐶体を形成するように設けられる。
【０００９】
フック部材１１と係合アーム部材１４とで形成される鐶体の内側には、フック部材１１と係合アーム部材１４との内壁によってバネ部材１２が支持されており、バネ部材１２により係合アーム部材１４は係合方向に移動する。
【００１０】
フック部材１１のうちバネ部材１２が支持される部分には、ネジ部材１３を螺合させるために内ネジが形成されたネジ穴が設けられ、フック部材１１の外側から、ネジ穴およびバネ部材１２を貫通させて、係合アーム部材１４の内壁に当接するようにネジ部材１３が挿入される。
【００１１】
ネジ部材１３には、ネジ穴に形成された内ネジと螺合可能な雄ネジが形成されている。このネジ部材１３を回転させて締め付けることで、フック部材１１と係合アーム部材１４とを係合させた状態で固定することができ、フック部材１１と係合アーム部材１４とで形成される鐶体に拳銃本体の連結部材１６が連結されて固定される。
【００１２】
また、ネジ部材１３の首下、つまりネジ部材１３の頭部とフック部材１１とが当接した状態でのネジ穴近傍のネジ部材１３には雄ネジが形成されていない。これにより、フック部材１１と係合アーム部材１４とを係合させた状態で、携行中又は拳銃を強奪されるなどの激しい振動があっても、ネジ部材１３はネジ穴に形成された内ネジに螺合することがなく、いわゆる「空回り」状態になる。このためフック部材１１と係合アーム部材１４との係合が解かれることはない。
【００１３】
なお、フック部材１１と係合アーム部材１４との係合を解くためには、ネジ部材１３に形成された雄ネジとネジ穴に形成された内ネジと螺合させるように、ネジ部材１３の外周面をつかみ、ネジ部材１３をネジ部材１３の頭部方向に向かって引っ張りながらネジ部材１３を回転させて締め付けを緩めることで、ネジ部材１３による固定を緩めることができる。これにより、フック部材１１と係合アーム部材１４との係合を解くことができ、拳銃本体を取り外すことができる。
【００１４】
あるいは、フック部材１１の外側から、ネジ穴およびバネ部材１２を貫通させて係合アーム部材１４の内壁に当接したネジ部材１３を押し込むように、係合アーム部材１４をフック部材１１の内側に押し込みながら、ネジ部材１３を回転させて締め付けを緩めることで、ネジ部材１３による固定を緩めることができる。これにより、フック部材１１と係合アーム部材１４との係合を解くことができ、拳銃本体を取り外すことができる。
【００１５】
このように、フック部材１１と係合アーム部材１４とで形成される鐶体に拳銃本体を容易に取り付けることができ、携行中又は拳銃を強奪されるなどの激しい振動があっても、フック部材１１と係合アーム部材１４との係合が容易に解かれることがないため、拳銃の強奪を未然に防止することができる。
【先行技術文献】
【特許文献】
【００１６】
【特許文献１】特開２００７−７１４０８号公報
【考案の概要】
【考案が解決しようとする課題】
【００１７】
しかし、特許文献１で開示された拳銃の吊り下げ装置１０では、携行中にネジ部材１３の頭部が警察官の制服や周囲のものに引っかかった場合、ネジ部材１３が引っ張られる方向に働く力と、ネジ部材１３が回転する力とが伴うことでネジ部材１３が緩まり、フック部材１１と係合アーム部材１４との係合が解かれてしまうことで拳銃本体が鐶体から外れてしまう問題があった。
【００１８】
前述のように、特許文献１で開示された拳銃の吊り下げ装置１０では、拳銃本体の取り外しを容易にするために、ネジ部材１３を引っ張りながら回転するだけで、容易に拳銃を鐶体から取り外すことができる。
【００１９】
ネジ部材１３の頭部は突出しているため、周辺のものや警察官の身につけるものに引っかかりやすい。さらに、拳銃の吊り下げ装置１０は、取り付けられた拳銃本体とともに携行されるため、移動中には様々な力が拳銃の吊り下げ装置１０に加わることになる。
【００２０】
このとき、ネジ部材１３の頭部が制服などに引っかかることで、ネジ部材１３の頭部方向に引っ張られる力が働き、さらにネジ部材１３に回転する力が加わると、ネジ部材１３が簡単に緩まってしまうため、拳銃が鐶体から外れてしまう可能性があり非常に危険である。
【００２１】
また、特許文献１で開示された拳銃の吊り下げ装置１０では、ネジ部材１３の首下に雄ネジが形成されていないため、ネジ部材１３の頭部がフック部材１１に当接した状態で固定されない。つまり、ネジ部材１３の頭部がフック部材１１から離れた状態にあり、余計に周辺のものに引っかかりやすい状態を形成している。
【００２２】
また、特許文献１で開示された拳銃の吊り下げ装置１０では、拳銃本体の取り外しを容易にする構成になっているため、たとえば拳銃を強奪する際にも構造さえ把握できれば容易に取り外すことができてしまう問題もある。
【００２３】
特許文献１で開示された拳銃の吊り下げ装置１０では、ネジ部材１３を引っ張って回すだけという単純な操作で拳銃を鐶体から取り外すことができるため、拳銃の強奪を未然に強固に防止することができない問題があった。
【００２４】
本考案はこのような点に鑑みてなされたものであり、警察官による操作で容易に拳銃本体の取り外しが可能であること、さらに拳銃の強奪を未然に防止して「つりひも」と拳銃とを連結する拳銃用ナスカンを提供することを目的とする。
【課題を解決するための手段】
【００２５】
本考案では上記問題を解決するために、末端部から上方に向けて湾曲したフック部材と、前記フック部材の開口部分を閉口して環状体をなすように一端が前記フック部材の先端の内側に収容されて係合するように配置される係合アーム部材と、前記フック部材の上端と前記係合アーム部材の他端とを連結する軸部材と、前記フック部材の外側から前記係合アーム部材の内壁に向けて、形成されたネジ穴に挿入されて螺合するネジ部材と、前記環状体の内側で前記係合アーム部材を弾性力によって係合方向に移動させるバネ部材とを備えるナスカンであって、前記ネジ部材の頭部の頂面側を開口して前記ネジ部材の頭部を側面から覆い、前記フック部材に固定されたカバー部材を備えることを特徴とするナスカンが提供される。
これにより、ネジ部材の頭部の頂面側を開口してネジ部材の頭部を側面から覆うカバー部材が、フック部材に固定される。
【考案の効果】
【００２６】
本考案のナスカンによれば、ネジ部材の頭部の頂面側を開口してネジ部材の頭部を側面から覆うカバー部材が、フック部材に固定されるので、ネジ部材を摘んで回転させるための頭部が手や指で摘めなくなる。このためフック部材と係合アーム部材との係合を容易に解くことができなくなる。すなわち、第三者の行為によって係合を解いて拳銃を強奪する行為を防止することができる。
【００２７】
また、ネジ部材の頭部の頂面側を開口してネジ部材の頭部を側面から覆うカバー部材が、フック部材に固定されるので、ネジ部材の頭部が外部に接触して回転することがなくなる。このため、携行中に激しい振動があっても、拳銃が脱落することを未然に防止することができる。
【図面の簡単な説明】
【００２８】
【図１】第１の実施の形態に係る拳銃用ナスカン全体を示す斜視図である。
【図２】第１の実施の形態に係る拳銃用ナスカンを示す正面図である。
【図３】第１の実施の形態に係る拳銃用ナスカンを示す左側面図および右側面図である。
【図４】第１の実施の形態に係る拳銃用ナスカンを示す中央部における断面図である。
【図５】第１の実施の形態に係る拳銃用ナスカンを示す背面図である。
【図６】第１の実施の形態に係る拳銃用ナスカンにおける、フック部材と係合アーム部材との係合を解く様子を示す側面図である。
【図７】第１の実施の形態に係る拳銃用ナスカンを「つりひも」に連結した使用例を示す図である。
【図８】第２の実施の形態に係る拳銃用ナスカンを示す左側面図および右側面図である。
【図９】第２の実施の形態に係る拳銃用ナスカンを示す中央部における断面図である。
【図１０】第２の実施の形態に係る拳銃用ナスカンにおける、フック部材と係合アーム部材との係合を解く様子を示す側面図である。
【図１１】第２の実施の形態に係る拳銃用ナスカンにおける、フック部材と係合アーム部材とを係合させ、ネジ部材で固定する様子を示す側面図である。
【図１２】特許文献１で開示された拳銃の吊り下げ装置を示す正面断面図である。
【考案を実施するための形態】
【００２９】
以下、本考案の第１の実施の形態を、図面を参照して詳細に説明する。
〔第１の実施の形態〕
図１は、第１の実施の形態に係る拳銃用ナスカン全体を示す斜視図である。
図１に示すように、拳銃用ナスカン１００は、フック部材１１０、バネ部材１２０、ネジ部材１３０、係合アーム部材１４０、軸部材１５０、連結部材１６０、掛具取り付部材１７０、およびカバー部材１８０を備えている。
【００３０】
フック部材１１０は金属製の板材を折り曲げ加工したものであって、金属製の板材の平面を末端部１１１から上方に向けて湾曲させた形状をしており、フック部材１１０の先端部１１３から上端部１１２にかけて開口部が形成されている。
【００３１】
係合アーム部材１４０は、フック部材１１０の先端部１１３から上端部１１２にかけて形成された開口部を閉口するように設けられる金属製の板材であって、フック部材１１０の上端部１１２と係合アーム部材１４０の上端部１４１とが、軸部材１５０によって回動自在に連結されている。
【００３２】
また、係合アーム部材１４０は、係合アーム部材１４０の下端部１４２がフック部材１１０の先端部１１３の内側壁面に収容されるように設けられており、係合アーム部材１４０は軸部材１５０を軸として、係合アーム部材１４０の下端部１４２が開閉駆動する。
【００３３】
このように、係合アーム部材１４０の下端部１４２が開閉駆動し、係合アーム部材１４０の下端部１４２が、フック部材１１０の先端部１１３の内側壁面に接することで、フック部材１１０と係合アーム部材１４０とで鐶体を形成することができる。
【００３４】
フック部材１１０と係合アーム部材１４０とで形成される鐶体の内側には、フック部材１１０の内壁と係合アーム部材１４０の内壁とによって圧縮されたバネ部材１２０が支持されている。
【００３５】
この圧縮されたバネ部材１２０の弾性力により、係合アーム部材１４０の下端部１４２は軸部材１５０を軸として、係合アーム部材１４０の下端部１４２とフック部材１１０の先端部１１３の内側壁面とが接する方向に移動する。
【００３６】
軸部材１５０には連結部材１６０が回動自在に連結されている。さらに連結部材１６０の上端には掛具取り付部材１７０が回動自在に連結されており、「つりひも」が掛具取り付部材１７０に連結される。
【００３７】
フック部材１１０のうち、バネ部材１２０が支持される部分には、ネジ部材１３０を螺合させるために内ネジが形成されたネジ穴１１４が設けられており、このネジ穴１１４にフック部材１１０の外側からネジ部材１３０が挿入される。
ネジ穴１１４に挿入されたネジ部材１３０は、バネ部材１２０の軸部を貫通するように挿入され、ネジ部材１３０の先端が係合アーム部材１４０の内壁に当接させる。
【００３８】
ネジ部材１３０のネジ部には、ネジ穴１１４に形成された内ネジと螺合可能な雄ネジが形成されている。これにより、ネジ部材１３０を締め付け方向に回転させることで、ネジ部材１３０の先端が係合アーム部材１４０の内壁に当接し、係合アーム部材１４０を外側方向に移動させることで、フック部材１１０と係合アーム部材１４０とを係合させた状態で固定することができる。
【００３９】
フック部材１１０と係合アーム部材１４０との係合が解かれた状態で、フック部材１１０と係合アーム部材１４０とで形成される鐶体に拳銃本体の連結部材を連結させ、ネジ部材１３０の締め付けにより、フック部材１１０と係合アーム部材１４０とを係合させた状態で固定することで、拳銃用ナスカン１００は拳銃本体と強固に連結することができる。
【００４０】
ネジ部材１３０の頭部１３１の頂面には、ドライバなどの工具の先端部を差し込むために設けられた凹部である駆動部１３２が設けられている。このネジ部材１３０を回転させるためには、駆動部１３２にドライバなどの工具の先端部を差し込み、工具を回転させることでネジ部材１３０を締め付けたり、又は緩めたりすることができる。駆動部１３２についての詳細は後述する。
【００４１】
またネジ部材１３０の頭部１３１から先端側であるネジ部材１３０の首下付近には、雄ネジが形成されていない。より具体的には、ネジ部材１３０の頭部１３１とフック部材１１０とが当接した状態で、ネジ穴１１４とネジ部材１３０とが接する部分において、ネジ部材１３０の首下からフック部材１１０の板厚と同じ、又はフック部材１１０の板厚よりも若干大きい範囲で雄ネジが形成されていない。
【００４２】
これにより、フック部材１１０と係合アーム部材１４０とを係合させた状態で、携行中又は拳銃を強奪されるなどの激しい振動があっても、ネジ部材１３０はネジ穴１１４に形成された内ネジに螺合することがない。このため、いわゆる「空回り」状態になり、フック部材１１０と係合アーム部材１４０との係合は解かれることはない。
【００４３】
またフック部材１１０に形成されたネジ穴１１４の周囲には、ネジ部材１３０の頭部１３１とフック部材１１０とが当接した状態で、ネジ部材１３０の頭部１３１を周囲から覆うようにカバー部材１８０が設けられている。
【００４４】
カバー部材１８０はフック部材１１０に溶接されて固定されており、内径がネジ部材１３０の頭部１３１の外形と同じか、あるいは頭部１３１の外形よりも若干大きく貫通するように形成された穴部１８１を備えている。
【００４５】
またカバー部材１８０の高さは、ネジ部材１３０の頭部１３１の高さと同じか、あるいは頭部１３１の高さよりも若干大きく形成されており、カバー部材１８０が有する穴部１８１にネジ部材１３０の頭部１３１が収容される。
【００４６】
これにより、フック部材１１０に固定されたカバー部材１８０と、ネジ部材１３０とは独立して駆動することになる。また、ネジ部材１３０の頭部１３１をカバー部材１８０が完全に覆っているため、ネジ部材１３０の頭部１３１を摘んでネジ部材１３０を回転させることはできなくなる。
【００４７】
なお、カバー部材１８０の周面は、緩やかな曲面で形成するとよい。これにより、カバー部材１８０と接触するものを傷つけてしまうことを防止することができる。また、カバー部材１８０の周面を曲面で形成することで角部がなくなるため、角部をペンチなどの工具に噛み合わせて、フック部材１１０から剥離させようとする行為を防止することができる。
【００４８】
フック部材１１０と係合アーム部材１４０との係合を解くためには、係合アーム部材１４０を外側からネジ部材１３０の頭部１３１方向に押し込み、ネジ部材１３０に形成された雄ネジとネジ穴１１４に形成された内ネジとを螺合させる。
【００４９】
次に、雄ネジと内ネジとを螺合させた状態でネジ部材１３０の頭部１３１の頂面に設けられた駆動部１３２にドライバなどの工具の先端部を差し込んで、ネジ部材１３０を緩める方向に回転させる。これによりネジ部材１３０は緩まり、フック部材１１０と係合アーム部材１４０との係合を解くことができる。
【００５０】
このため、ネジ部材１３０を締め付けたり、緩めたりするためには、ネジ部材１３０の頭部１３１の頂面に設けられた駆動部１３２にドライバなどの工具の先端部を差し込んで、ネジ部材１３０を回転させるしかない。
【００５１】
つまり、工具を使ってネジ部材１３０を締め付けることで、工具を使用することなくネジ部材１３０を緩めることはできない。このため、工具を使って拳銃本体を拳銃用ナスカン１００に取り付けた場合、工具を持たない第三者はネジ部材１３０を緩めることはできないので、拳銃用ナスカン１００から拳銃本体を取り外すことはできない。これにより、第三者が容易に拳銃本体を強奪することを防止でき、警察官は容易に拳銃用ナスカン１００と拳銃本体とを連結することができる。
【００５２】
またカバー部材１８０がネジ部材１３０の頭部１３１の周囲を覆っているため、携行中にネジ部材１３０の頭部１３１が警察官の制服や周囲のものに引っかかることがない。これにより、ネジ部材１３０が引っ張られながら回転することもなくなるため、拳銃本体が拳銃用ナスカン１００の鐶体から外れてしまうことがない。
【００５３】
図２は、第１の実施の形態に係る拳銃用ナスカンを示す正面図である。
図２に示すように、ネジ部材１３０の頭部１３１の頂面には、ドライバなどの工具の先端部を差し込むために設けられた凹部である駆動部１３２が設けられている。
【００５４】
駆動部１３２の形状は、たとえば所謂マイナスドライバーの先端部の形状に対応した凹部や、プラスドライバーの先端部の形状に対応した凹部、六角レンチの先端部の形状に対応した凹部などが挙げられる。
【００５５】
さらに駆動部１３２の特殊な形状として、図２に示すような複数の角を有する多角星型状で形成することができる。具体的には、一般的にhexalobular internal（ヘクサロビュラー・インターナル）、ヘックスローブなどの名称でよばれ規格されている多角星型状のネジ頭のネジ部材１３０を採用するとよい。
【００５６】
前述のマイナスドライバー、プラスドライバー、六角レンチなどの工具は、多くの一般家庭が常備しており、これらの工具を利用すればネジ部材１３０を緩めることできるため、拳銃用ナスカン１００から拳銃本体を取り外すことができてしまう。
【００５７】
ところが、多角星型状のネジ頭のネジ部材１３０では、この多角星型状のネジ頭に対応する工具は、一般家庭で常備する数は少なく、ネジ部材１３０を緩める、つまり拳銃用ナスカン１００の鐶体から拳銃本体を取り外す可能性を著しく抑制することができる。
【００５８】
また、多角星型状のネジ頭は、複数の角を有する星型をしているため、工具先端とネジとの噛合が強固になり、力の伝達効率が非常に高い。このため、警察官は効率よくネジ部材１３０を緩めて拳銃用ナスカン１００から拳銃本体を取り外すことができる。
【００５９】
さらに、多角星型状のネジ頭のネジ部材１３０では、工具先端とネジとの噛合が強固なため、駆動部１３２から工具の先端が外れてしまうカムアウト現象を抑制することができる。これにより、カムアウト現象により駆動部１３２を痛めて変形させることを抑制することができ、拳銃用ナスカン１００の耐久性を向上することができる。
【００６０】
またマイナスドライバー等の場合、駆動部１３２から工具の先端が外れないように、ネジ部材１３０の軸方向に押し続けながらネジ部材１３０を回転させてカムアウト現象を抑制する必要があるが、多角星型状のネジ頭のネジ部材１３０では、工具先端とネジとの噛合が強固なため、過度な軸方向への力が不要になり、拳銃用ナスカン１００に拳銃本体を取り付ける警察官への負担を抑制することができる。
【００６１】
なお、駆動部１３２の形状は、多角星型状に加えて、多角星型状で形成された凹部の中央を、たとえば円柱状に突出させた突起部１３２Ａを形成することもできる。駆動部１３２に突起部１３２Ａを形成することで、駆動部１３２をさらに特殊な形状にすることができる。
【００６２】
具体的には、駆動部１３２に突起部１３２Ａを形成することで、多角星型状のネジ頭に対応しただけの工具では、突起部１３２Ａの存在により、駆動部１３２に工具先端を噛合わせることができなくなる。
【００６３】
この突起部１３２Ａを有する多角星型状の駆動部１３２に工具を噛合させるには、工具の先端を多角星型状のネジ頭に対応させ、かつ工具先端に突起部１３２Ａと同型の突起体を収容するための凹部である収容部を形成する必要がある。
【００６４】
工具の先端に突起部１３２Ａを収容するための凹部である収容部を具備しない工具、例えば工具先端が平坦な工具や、突起部１３２Ａよりも小さな凸部が形成された工具の場合、突起部１３２Ａを収容部に収容できないため、工具先端と駆動部１３２とを噛合させることができない。すなわち工具によってネジ部材１３０を回転させることができないため、拳銃用ナスカン１００から拳銃本体を取り外すことができない。
【００６５】
このため、駆動部１３２を駆動させるための工具の特殊性をさらに向上させることができる。すなわち、拳銃用ナスカン１００の鐶体から拳銃本体を取り外す可能性を著しく抑制することができる。
【００６６】
図３は、第１の実施の形態に係る拳銃用ナスカンを示す左側面図および右側面図である。
図３に示すように、係合アーム部材１４０は、係合アーム部材１４０の下端部１４２がフック部材１１０の先端部１１３の内側壁面に収容されるように設けられている。
【００６７】
係合アーム部材１４０の下端部１４２の最端には、外側に折り返された折返部１４２Ｔが形成されている。またフック部材１１０の先端部１１３は、係合アーム部材１４０の下端部１４２がフック部材１１０に向かって移動した際に、係合アーム部材１４０の下端部１４２に形成された折返部１４２Ｔを収容するために切り欠かれた切欠部１１３Ｎが形成されている。
【００６８】
バネ部材１２０の弾性力、又はネジ部材１３０の締め付けによって係合アーム部材１４０の下端部１４２がフック部材１１０に向かって移動すると、係合アーム部材１４０の下端部１４２に形成された折返部１４２Ｔは、切欠部１１３Ｎ内に収容され折返部１４２Ｔと切欠部１１３Ｎとが噛み合う。
【００６９】
図１２のような従来の拳銃の吊り下げ装置１０では、係合アーム部材１４の他端側がフック部材１１の先端側内壁面に収容され、フック部材１１の開口部を閉塞して鐶体を形成するように設けられており、フック部材１１と係合アーム部材１４とが接合しているだけなので、たとえば軸部材１５の摩耗によってフック部材１１と係合アーム部材１４との間に直線上の隙間が空いてしまうことが考えられる。このような隙間を残しておくと、隙間に工具を入れ込んで、フック部材１１０を破壊することも考えられるため非常に危険である。
【００７０】
そこで第１の実施の形態に係る拳銃用ナスカン１００では、切欠部１１３Ｎ内に収容されて折返部１４２Ｔと切欠部１１３Ｎとの係合点で互いに噛み合う噛合構造が形成されるので、フック部材１１０と係合アーム部材１４０とが複雑な形状で係合する。
【００７１】
つまり、たとえば軸部材１５０の摩耗などによって、係合アーム部材１４０の移動にズレが生じても、従来のような直線上の隙間が生じないため、隙間を狙った工具の挿入を抑制し、拳銃用ナスカン１００の損傷を防止することができる。
【００７２】
また、ネジ部材１３０の頭部１３１は、カバー部材１８０の内部に収容されているため、ネジ部材１３０を手で摘んで回転させることはできない。これによって、第三者が拳銃用ナスカン１００の係合を解いて拳銃を強奪することを防止することができる。
【００７３】
なお、第１の実施の形態では係合アーム部材１４０の下端部１４２の最端が外側に折り返された折返部１４２Ｔが形成され、フック部材１１０の先端部１１３に折返部１４２Ｔを収容するために切り欠かれた切欠部１１３Ｎが形成される例で示している。
【００７４】
逆に、フック部材１１０の先端部１１３が内側に折り返された折返部１１３Ｔが形成され、係合アーム部材１４０の下端部１４２に折返部１１３Ｔを収容するために切り欠かれた切欠部１４２Ｎを形成することで、フック部材１１０と係合アーム部材１４０との接合点を互いに噛み合う噛合構造にすることもできる。
【００７５】
また、第１の実施の形態では、前述の噛合構造を１つの折返部１４２Ｔと１つの切欠部１１３Ｎとが噛み合う構造で説明したが、複数の折返部１４２Ｔと複数の切欠部１１３Ｎとを噛み合わせる構造をとることもできる。
【００７６】
図４は、第１の実施の形態に係る拳銃用ナスカンを示す中央部における断面図である。
図４に示すように、フック部材１１０と係合アーム部材１４０とで形成される鐶体の内側には、フック部材１１０の内壁と係合アーム部材１４０の内壁とによって圧縮されたバネ部材１２０が支持されている。
【００７７】
ネジ部材１３０のネジ部には、ネジ穴１１４に形成された内ネジ１１５と螺合可能な雄ネジ１３３が形成されている。これにより、ネジ部材１３０を締め付け方向に回転させることで、ネジ部材１３０の先端が係合アーム部材１４０の内壁に当接し、係合アーム部材１４０を外側方向に移動させることで、フック部材１１０と係合アーム部材１４０とを係合させた状態で固定することができる。
またネジ部材１３０の頭部１３１から先端側であるネジ部材１３０の首下付近には、雄ネジ１３３が形成されていない円筒部１３４を備えている。
【００７８】
より具体的には、ネジ部材１３０の頭部１３１とフック部材１１０とが当接した状態で、ネジ穴１１４とネジ部材１３０とが接する部分において、ネジ部材１３０の首下からフック部材１１０の板厚と同じ、又はフック部材１１０の板厚よりも若干大きい範囲で雄ネジが形成されない円筒部１３４を備えている。
【００７９】
これにより、フック部材１１０と係合アーム部材１４０とを係合させた状態で、携行中又は拳銃を強奪されるなどの激しい振動があっても、ネジ部材１３０が備える円筒部１３４では、ネジ穴１１４に形成された内ネジ１１５に螺合することがない。このため、いわゆる「空回り」状態になり、フック部材１１０と係合アーム部材１４０との係合が解かれることはない。
【００８０】
なお、内ネジ１１５および雄ネジ１３３におけるネジ山の、隣り合う山と山との距離であるピッチや、ネジが１回転したときに進む距離であるリードは任意の距離で形成することができるが、このリードを大きくすることで、少ない回転数で内ネジ１１５と雄ネジ１３３とを螺合又は緩めることができる。
【００８１】
一般的に一条ネジと呼ばれる通常のネジは、ピッチとリードの距離が等しい。そこで、第１の実施の形態に係る拳銃用ナスカン１００では、リードがピッチの２倍である二条ネジ、又はリードがピッチの２倍以上である多条ネジを採用することで、より少ない回転数で警察官が拳銃用ナスカン１００の係合を解くことができる。つまり、警察官は拳銃用ナスカン１００から拳銃本体を容易に取り外すことができる。
【００８２】
図５は、第１の実施の形態に係る拳銃用ナスカンを示す背面図である。
図５に示すように、係合アーム部材１４０の下端部１４２の最端には、外側に折り返された折返部１４２Ｔが形成されている。また、係合アーム部材１４０の下端部１４２に形成された折返部１４２Ｔを収容するために切り欠かれた切欠部１１３Ｎが形成されている。
【００８３】
バネ部材１２０の弾性力、又はネジ部材１３０の締め付けによって係合アーム部材１４０の下端部１４２がフック部材１１０に向かって移動すると、係合アーム部材１４０の下端部１４２に形成された折返部１４２Ｔは、切欠部１１３Ｎ内に収容され折返部１４２Ｔと切欠部１１３Ｎとが噛み合う。
【００８４】
これにより、たとえば軸部材１５０の摩耗などによって、係合アーム部材１４０の移動にズレが生じても、従来のような直線上の隙間が生じないため、隙間を狙った工具の挿入を抑制し、拳銃用ナスカン１００の損傷を防止することができる。
【００８５】
また、ネジ部材１３０の頭部１３１は、カバー部材１８０の内部に収容されているため、ネジ部材１３０を手で摘んで回転させることはできない。これによって、第三者が拳銃用ナスカン１００の係合を解いて拳銃を強奪することを防止することができる。
【００８６】
図６は、第１の実施の形態に係る拳銃用ナスカンにおける、フック部材と係合アーム部材との係合を解く様子を示す側面図である。
図６に示すように、フック部材１１０と係合アーム部材１４０との係合を解くためには、係合アーム部材１４０を外側からネジ部材１３０の頭部１３１方向に手や指で押し込み、ネジ部材１３０に形成された雄ネジ１３３とネジ穴１１４に形成された内ネジ１１５とを螺合させる。
【００８７】
次に、雄ネジ１３３と内ネジ１１５とを螺合させた状態でネジ部材１３０の頭部１３１の頂面に設けられた駆動部１３２にドライバなどの工具の先端部を差し込んで、ネジ部材１３０を緩める方向に回転させる。これによりネジ部材１３０は緩まり、フック部材１１０と係合アーム部材１４０との係合を解くことができる。
【００８８】
これにより、工具を使って拳銃本体を拳銃用ナスカン１００に取り付けた場合、工具を持たない第三者はネジ部材１３０を緩めることはできないので、拳銃用ナスカン１００から拳銃本体を取り外すことはできない。これにより、第三者が容易に拳銃本体を強奪することを防止でき、警察官は容易に拳銃用ナスカン１００と拳銃本体とを連結することができる。
【００８９】
またカバー部材１８０がネジ部材１３０の頭部１３１の周囲を覆っているため、携行中にネジ部材１３０の頭部１３１が警察官の制服や周囲のものに引っかかることがない。これにより、ネジ部材１３０が引っ張られながら回転することもなくなるため、拳銃本体が拳銃用ナスカン１００の鐶体から外れてしまうことがない。
【００９０】
図７は、第１の実施の形態に係る拳銃用ナスカンを「つりひも」に連結した使用例を示す図である。
図７に示すように「つりひも」の一端には環状の連結環２１０が形成されており、掛具取り付部材１７０が連結されている。また、「つりひも」の他端に形成される環状の連結環２２０は、警察官の腰ベルトなどに連結される。
【００９１】
〔第２の実施の形態〕
次に、本発明の第２の実施の形態について説明する。本実施の形態の拳銃用ナスカンは、ネジ部材およびバネ部材の形状が異なる以外は、第１の実施の形態で示した構成とほぼ同様である。このため、上記第１の実施の形態とほぼ同様の構成部分については同一の符号を付すなどして適宜その説明を省略する。
【００９２】
図８は、第２の実施の形態に係る拳銃用ナスカンを示す左側面図および右側面図である。
図８に示すように、ネジ部材１３０のネジ山の中央部付近には、周囲にフランジ状に突出したバネ受部１３５が形成されている。バネ部材１２０は、バネ受部１３５と係合アーム部材１４０との間に装着され、ネジ穴１１４に挿入されたネジ部材１３０は、バネ部材１２０の軸部を貫通するように挿入され、ネジ部材１３０の先端が係合アーム部材１４０の内壁に当接させる。
【００９３】
バネ部材１２０の弾性力、又はネジ部材１３０の締め付けによって係合アーム部材１４０の下端部１４２がフック部材１１０に向かって移動すると、係合アーム部材１４０の下端部１４２に形成された折返部１４２Ｔは、切欠部１１３Ｎ内に収容され折返部１４２Ｔと切欠部１１３Ｎとが噛み合う。
【００９４】
ネジ部材１３０の頭部１３１は、カバー部材１８０の内部に収容されているため、ネジ部材１３０を手で摘んで回転させることはできない。これによって、第三者が拳銃用ナスカン１００の係合を解いて拳銃を強奪することを防止することができる。
【００９５】
図９は、第２の実施の形態に係る拳銃用ナスカンを示す中央部における断面図である。
図９に示すように、フック部材１１０と係合アーム部材１４０とで形成される鐶体の内側には、ネジ部材１３０が有するバネ受部１３５と、係合アーム部材１４０の内壁とによって圧縮されたバネ部材１２０が支持されている。
【００９６】
ネジ部材１３０のネジ部には、ネジ穴１１４に形成された内ネジ１１５と螺合可能な雄ネジ１３３が形成されている。これにより、ネジ部材１３０を締め付け方向に回転させることで、ネジ部材１３０の先端が係合アーム部材１４０の内壁に当接し、係合アーム部材１４０を外側方向に移動させることで、フック部材１１０と係合アーム部材１４０とを係合させた状態で固定することができる。
【００９７】
ネジ部材１３０の頭部１３１とフック部材１１０とが当接した状態で、ネジ穴１１４とネジ部材１３０とが接する部分において、ネジ部材１３０の首下からフック部材１１０の板厚と同じ、又はフック部材１１０の板厚よりも若干大きい範囲で雄ネジが形成されない円筒部１３４を備えている。
【００９８】
バネ受部１３５と係合アーム部材１４０の内壁とによって圧縮されたバネ部材１２０が支持されているため、バネ受部１３５の弾性力により、ネジ部材１３０は、頭部１３１の方向に力が働くことになる。
【００９９】
ネジ部材１３０の首下部分には、円筒部１３４が形成されているため、内ネジ１１５と螺合しない。このため、バネ部材１２０の弾性力により、ネジ部材１３０は、フック部材１１０の内壁と雄ネジ１３３と、が当接する位置まで頭部１３１方向にネジ部材１３０が移動する。
【０１００】
これにより、警察官は、係合アーム部材１４０を外側からネジ部材１３０の頭部１３１方向に押し込むことなく、内ネジ１１５と雄ネジ１３３とを螺合させることができる。すなわち、ネジ部材１３０を回転させるだけで、容易にフック部材１１０と係合アーム部材１４０との係合を解くことができる。
【０１０１】
図１０は、第２の実施の形態に係る拳銃用ナスカンにおける、フック部材と係合アーム部材との係合を解く様子を示す側面図である。
図１０に示すように、フック部材１１０と係合アーム部材１４０との係合を解くためには、雄ネジ１３３と内ネジ１１５とを螺合させた状態でネジ部材１３０の頭部１３１の頂面に設けられた駆動部１３２にドライバなどの工具の先端部を差し込んで、ネジ部材１３０を緩める方向に回転させる。これによりネジ部材１３０は緩まり、フック部材１１０と係合アーム部材１４０との係合を解くことができる
【０１０２】
これにより、工具を使って拳銃本体を拳銃用ナスカン１００に取り付けた場合、工具を持たない第三者はネジ部材１３０を緩めることはできないので、拳銃用ナスカン１００から拳銃本体を取り外すことはできない。これにより、第三者が容易に拳銃本体を強奪することを防止でき、警察官は容易に拳銃用ナスカン１００と拳銃本体とを連結することができる。
【０１０３】
またカバー部材１８０がネジ部材１３０の頭部１３１の周囲を覆っているため、携行中にネジ部材１３０の頭部１３１が警察官の制服や周囲のものに引っかかることがない。これにより、ネジ部材１３０が引っ張られながら回転することもなくなるため、拳銃本体が拳銃用ナスカン１００の鐶体から外れてしまうことがない。
【０１０４】
また、一般に警察官は腰よりも後ろ側に拳銃を装着するが、係合アーム部材１４０を外側からネジ部材１３０の頭部１３１方向に押し込むことなく、内ネジ１１５と雄ネジ１３３とを螺合させることができるので、ネジ部材１３０を回転させるだけで、容易にフック部材１１０と係合アーム部材１４０との係合を解くことができる。
【０１０５】
図１１は、第２の実施の形態に係る拳銃用ナスカンにおける、フック部材と係合アーム部材とを係合させ、ネジ部材で固定する様子を示す側面図である。
図１１（Ａ）に示すように、ネジ部材１３０のネジ部には、ネジ穴１１４に形成された内ネジ１１５と螺合可能な雄ネジ１３３が形成されており、ネジ部材１３０を締め付け方向に回転させることで、ネジ部材１３０の先端が係合アーム部材１４０の内壁に当接する。
【０１０６】
さらにネジ部材１３０を締め付け方向に回転させることで、係合アーム部材１４０を外側方向に移動させることができ、やがてフック部材１１０と係合アーム部材１４０とが係合する。
【０１０７】
次に、図１１（Ｂ）に示すように、ネジ穴１１４とネジ部材１３０とが接する部分において、ネジ部材１３０の首下からフック部材１１０の板厚と同じ、又はフック部材１１０の板厚よりも若干大きい範囲で雄ネジ１３３が形成されない部分である円筒部１３４がある。
【０１０８】
このため、ネジ部材１３０を締め付け方向に回転させることで、雄ネジ１３３と円筒部１３４との境界部分で、雄ネジ１３３と内ネジ１１５との螺合が終了する。このとき、ネジ部材１３０は、締め付け方向に力が加えられているので、雄ネジ１３３と内ネジ１１５との螺合が終了とともに、ネジ部材１３０の頭部１３１がフック部材１１０の外壁と当接することになる。
【０１０９】
次に、図１１（Ｃ）に示すように、バネ受部１３５と係合アーム部材１４０の内壁とによって圧縮されたバネ部材１２０が支持されているため、バネ受部１３５の弾性力により、ネジ部材１３０は、頭部１３１の方向に力が働くことになる。
【０１１０】
ネジ部材１３０の首下部分には、円筒部１３４が形成されているため、内ネジ１１５と螺合しない。このため、バネ部材１２０の弾性力により、ネジ部材１３０は、フック部材１１０の内壁と雄ネジ１３３と、が当接する位置まで頭部１３１方向にネジ部材１３０が移動する。
【０１１１】
このとき、フック部材１１０の内壁と雄ネジ１３３と、がバネ部材１２０の弾性力により当接することで、小さな衝撃音が発する。又は、警察官は、頭部１３１の頂面に設けられた駆動部１３２にドライバなどの工具の先端部を差し込んでいるため、フック部材１１０の内壁と雄ネジ１３３と、がバネ部材１２０の弾性力により当接する衝撃が工具を通じて手に伝わる。
【０１１２】
この衝撃音又は衝撃を通じて、警察官はネジ部材１３０の螺合が終了したこと、つまり、最後までネジ部材１３０が締め付けられ、フック部材１１０と係合アーム部材１４０とを係合させ、ネジ部材１３０で固定できたことを認識することができる。これにより、過度なネジ部材１３０の締め付けにより、頭部１３１の頂面に設けられた駆動部１３２の破損を防止することができる。
【０１１３】
以上のように、警察官は、係合アーム部材１４０を外側からネジ部材１３０の頭部１３１方向に押し込むことなく、内ネジ１１５と雄ネジ１３３とを螺合させることができる。すなわち、ネジ部材１３０を回転させるだけで、容易にフック部材１１０と係合アーム部材１４０との係合を解くことができる。
【０１１４】
また、上記の実施の形態に関し、さらに以下の付記を開示する。
（付記１）
末端部から上方に向けて湾曲したフック部材と、前記フック部材の開口部分を閉口して環状体をなすように一端が前記フック部材の先端の内側に収容されて係合するように配置される係合アーム部材と、前記フック部材の上端と前記係合アーム部材の他端とを連結する軸部材と、前記フック部材の外側から前記係合アーム部材の内壁に向けて、形成されたネジ穴に挿入されて螺合するネジ部材と、前記環状体の内側で前記係合アーム部材を弾性力によって係合方向に移動させるバネ部材とを備えるナスカンであって、
前記ネジ部材の頭部の頂面側を開口して前記ネジ部材の頭部を側面から覆い、前記フック部材に固定されたカバー部材、
を備えることを特徴とするナスカン。
（付記２）
前記カバー部材の高さは、
前記ネジ部材の頭部の高さ以上で形成されること、
を特徴とする付記１記載のナスカン。
（付記３）
前記カバー部材の周面は、
緩やかな曲面で形成されること、
を特徴とする付記１記載のナスカン。
（付記４）
前記ネジ部材の頭部の頂面は、
前記ネジ部材を回転させるための工具の形状に合わせて形成された駆動部、
を備えることを特徴とする付記１記載のナスカン。
（付記５）
前記駆動部は、
多角星型状の凹部であること、
を特徴とする付記４記載のナスカン。
（付記６）
前記工具の先端部は、所定の形状で形成された突起体を収容する収容部を備え、
前記多角星型状の凹部は、前記収容部に収容される形状の突起部が形成されること、
を特徴とする付記５記載のナスカン。
（付記７）
前記ネジ部材は、
前記ネジ穴と前記係合アーム部材の内側との間で、前記バネ部材の一方側の端部が当接するバネ受部、
を備えることを特徴とする付記１記載のナスカン。
（付記８）
前記ネジ部材と前記ネジ穴との螺合は、
２条以上の多条ネジで構成されること、
を特徴とする付記１記載のナスカン。
（付記９）
前記フック部材の先端の内側と、前記係合アーム部材の一端とが係合する部分は、
前記フック部材の先端の内側と、前記係合アーム部材の一端とが互いに噛み合うような形状に形成された噛合構造、
を備えることを特徴とする付記１記載のナスカン。
（付記１０）
前記噛合構造は、
前記係合アーム部材の一端が外側に折り返された折返部と、
前記折返部を収容するようにして前記フック部材の先端が切り欠かれた切欠部と、
を備えることを特徴とする付記９記載のナスカン。
（付記１１）
前記噛合構造は、
前記フック部材の先端が内側に折り返された折返部と、
前記折返部を収容するようにして前記係合アーム部材が切り欠かれた切欠部と、
を備えることを特徴とする付記９記載のナスカン。
（付記１２）
末端部から上方に向けて湾曲したフック部材と、前記フック部材の開口部分を閉口して環状体をなすように一端が前記フック部材の先端の内側に収容されて係合するように配置される係合アーム部材と、前記フック部材の上端と前記係合アーム部材の他端とを連結する軸部材と、前記フック部材の外側から前記係合アーム部材の内壁に向けて、形成されたネジ穴に挿入されて螺合するネジ部材と、前記環状体の内側で前記係合アーム部材を弾性力によって係合方向に移動させるバネ部材とを備えるナスカンの製造方法であって、
前記ネジ部材の頭部の頂面側を開口して前記ネジ部材の頭部を側面から覆い、前記フック部材に固定されたカバー部材を、前記フック部材に固定する工程、
を備えることを特徴とするナスカンの製造方法。
【符号の説明】
【０１１５】
１０  装置
１１  フック部材
１２  バネ部材
１３  ネジ部材
１４  係合アーム部材
１５  軸部材
１６  連結部材
１７  具取り付部材
１００  拳銃用ナスカン
１１０  フック部材
１１１  末端部
１１２  上端部
１１３  先端部
１１３Ｎ  切欠部
１１３Ｔ  折返部
１１４  ネジ穴
１１５  内ネジ
１２０  バネ部材
１３０  ネジ部材
１３１  頭部
１３２  駆動部
１３２Ａ  突起部
１３３  雄ネジ
１３４  円筒部
１３５  バネ受部
１４０  係合アーム部材
１４１  上端部
１４２  下端部
１４２Ｎ  切欠部
１４２Ｔ  折返部
１５０  軸部材
１６０  連結部材
１７０  具取り付部材
１８０  カバー部材
１８１  穴部
２１０  連結環
２２０  連結環
【図１】
0003232014.tif 000003
【図２】
0003232014.tif 000004
【図３】
0003232014.tif 000005
【図４】
0003232014.tif 000006
【図５】
0003232014.tif 000007
【図６】
0003232014.tif 000008
【図７】
0003232014.tif 000009
【図８】
0003232014.tif 000010
【図９】
0003232014.tif 000011
【図１０】
0003232014.tif 000012
【図１１】
0003232014.tif 000013
【図１２】
0003232014.tif 000014